【手続補正書】
【提出日】平成15年7月31日(2003.7.31)
【手続補正１】
【補正対象書類名】明細書
【補正対象項目名】特許請求の範囲
【補正方法】変更
【補正の内容】
【特許請求の範囲】
【請求項１】
複数種のデータベースを参照可能なデータ処理システムにおいて、
上位層システムと下位層システムとを有し、
前記上位層システムに、
複数の問い合わせ項目と該複数の問い合わせ項目に対する複数の回答の結合条件とを含む第１の表現形式による問い合わせを受け取る問い合わせ受け取り手段と、
前記問い合わせを解釈し、第２の表現形式による制御情報群を発行する制御情報発行手段と、
前記問い合わせに対する前記第２の表現形式による複数のデータベースからの回答を前記下位層システムより受け取り、前記結合条件に基づいて結合する結合手段と、
前記結合手段により結合された回答を前記第１の表現形式に変換して出力する出力手段とを備え、
前記下位層システムに、
前記制御情報発行手段より発行された前記第２の表現形式による制御情報群の各制御情報を、それぞれに対応する種類のデータベースに対して、当該種類に対応する制御命令に変換して出力する命令出力手段と、
複数のデータベースによる前記制御命令のそれぞれの処理結果を前記第２の表現形式により前記上位層システムに回答する回答手段とを備えることを特徴とするデータ処理システム。
【請求項２】
前記上位層システムに、前記制御情報発行手段により発行される制御情報の発行対象となるデータベースの管理情報を記憶する管理情報記憶手段を備えることを特徴とする請求項１に記載のデータ処理システム。
【請求項３】
前記管理情報記憶手段が、
管理情報を記憶した管理情報データベースと、
該管理情報データベースに対し、前記制御情報発行手段より発行された前記第２の表現形式による制御情報を当該管理情報データベースに対応する制御命令に変換して出力する管理命令出力手段と、
前記管理情報データベースによる前記制御命令の処理結果を前記第２の表現形式により出力する管理情報出力手段とを備えることを特徴とする請求項２に記載のデータ処理システム。
【請求項４】
前記上位層システムに、前記問い合わせに対して前記下位層システムより受け取る回答に対する補填情報を記憶する補填情報記憶手段を備えることを特徴とする請求項１に記載のデータ処理システム。
【請求項５】
前記補填情報記憶手段が、
補填情報を記憶した補填情報データベースと、
該補填情報データベースに対し、前記制御情報発行手段より発行された前記第２の表現形式による制御情報を当該補填情報データベースに対応する制御命令に変換して出力する補填命令出力手段と、
前記補填情報データベースによる前記制御命令の処理結果を前記第２の表現形式により出力する補填情報出力手段とを備えることを特徴とする請求項４に記載のデータ処理システム。
【請求項６】
前記補填情報記憶手段が、種類の異なる複数のデータベースによる処理結果を結合するための結合補填情報を備え、前記出力手段が、前記結合補填情報を参照して種類の異なる複数のデータベースによる処理結果を前記第２の表現形式において結合する結合手段を備えることを特徴とする請求項４に記載のデータ処理システム。
【請求項７】
前記複数種のデータベースのうち少なくとも１つは関係型データベースであることを特徴とする請求項１に記載のデータ処理システム。
【請求項８】
前記複数種のデータベースを前記下位層システム内に設けたことを特徴とする請求項１に記載のデータ処理システム。
【請求項９】
前記上位層システムに、ユーザからの問い合わせに対して、前記第１の表現形式によるデータベースに対する問い合わせを発行する問い合わせ発行手段を設けたことを特徴とする請求項１に記載のデータ処理システム。
【請求項１０】
上位層システムと下位層システムとを有し、複数種のデータベースを参照可能なデータ処理システムにおけるデータ処理方法であって、
前記上位層システムにおいて、複数の問い合わせ項目と該複数の問い合わせ項目に対する複数の回答の結合条件とを含む第１の表現形式による問い合わせを受け取る問い合わせ受け取り工程と、
前記上位層システムにおいて、前記問い合わせを解釈し、第２の表現形式による制御情報群を発行する制御情報発行工程と、
前記下位層システムにおいて、前記第２の表現形式による制御情報群の各制御情報を、それぞれに対応する種類のデータベースに対して、当該種類に対応する制御命令に変換して出力する命令出力工程と、
前記下位層システムにおいて、複数のデータベースによる前記制御命令のそれぞれの処理結果を前記第２の表現形式により前記上位層システムに回答する回答工程と、
前記上位層システムにおいて、前記問い合わせに対する前記第２の表現形式による複数のデータベースからの回答を前記下位層システムより受け取り、前記結合条件に基づいて結合する結合工程と、
前記上位層システムにおいて、前記結合工程により結合された回答を前記第１の表現形式に変換して出力する出力工程とを備えることを特徴とするデータ処理方法。
【手続補正２】
【補正対象書類名】明細書
【補正対象項目名】０００８
【補正方法】変更
【補正の内容】
【０００８】
【課題を解決するための手段】
上記課題を解決するために、本発明によれば、複数種のデータベースを参照可能なデータ処理システムにおいて、上位層システムと下位層システムとを有し、前記上位層システムに、複数の問い合わせ項目と該複数の問い合わせ項目に対する複数の回答の結合条件とを含む第１の表現形式による問い合わせを受け取る問い合わせ受け取り手段と、前記問い合わせを解釈し、第２の表現形式による制御情報群を発行する制御情報発行手段と、前記問い合わせに対する前記第２の表現形式による複数のデータベースからの回答を前記下位層システムより受け取り、前記結合条件に基づいて結合する結合手段と、前記結合手段により結合された回答を前記第１の表現形式に変換して出力する出力手段とを備え、前記下位層システムに、前記制御情報発行手段より発行された前記第２の表現形式による制御情報群の各制御情報を、それぞれに対応する種類のデータベースに対して、当該種類に対応する制御命令に変換して出力する命令出力手段と、複数のデータベースによる前記制御命令のそれぞれの処理結果を前記第２の表現形式により前記上位層システムに回答する回答手段とを備える。


【手続補正３】
【補正対象書類名】明細書
【補正対象項目名】０００９
【補正方法】変更
【補正の内容】
【０００９】
また、本発明の他の態様によれば、上位層システムと下位層システムとを有し、複数種のデータベースを参照可能なデータ処理システムにおけるデータ処理方法であって、前記上位層システムにおいて、複数の問い合わせ項目と該複数の問い合わせ項目に対する複数の回答の結合条件とを含む第１の表現形式による問い合わせを受け取る問い合わせ受け取り工程と、前記上位層システムにおいて、前記問い合わせを解釈し、第２の表現形式による制御情報群を発行する制御情報発行工程と、前記下位層システムにおいて、前記第２の表現形式による制御情報群の各制御情報を、それぞれに対応する種類のデータベースに対して、当該種類に対応する制御命令に変換して出力する命令出力工程と、前記下位層システムにおいて、複数のデータベースによる前記制御命令のそれぞれの処理結果を前記第２の表現形式により前記上位層システムに回答する回答工程と、前記上位層システムにおいて、前記問い合わせに対する前記第２の表現形式による複数のデータベースからの回答を前記下位層システムより受け取り、前記結合条件に基づいて結合する結合工程と、前記上位層システムにおいて、前記結合工程により結合された回答を前記第１の表現形式に変換して出力する出力工程とを備える。